(57)【要約】【課題】運転時の掻き残しを最小限に抑えて浄水水質を向上し得、修繕工事の際の掻寄板の交換作業を円滑に行い得る汚泥掻寄装置を提供する。【解決手段】沈殿池１の底部に堆積した汚泥を掻き寄せるスクレーパユニット４が、沈殿池１の幅方向へ並設される複数の掻寄板１０と、各掻寄板１０を夫々沈殿池１の底部に押し付ける方向へ付勢する複数の凹凸吸収板８とを備える。【選択図】図１
2018134581.tif 000002
【特許請求の範囲】
【請求項１】
沈殿池の底部に堆積した汚泥を掻き寄せるスクレーパユニットを備えた汚泥掻寄装置であって、
前記スクレーパユニットは、前記沈殿池の幅方向へ並設される複数の掻寄板と、該各掻寄板を夫々前記沈殿池の底部に押し付ける方向へ付勢する複数の凹凸吸収板とを備えたことを特徴とする汚泥掻寄装置。
【請求項２】
前記沈殿池の底部に沿って走行自在となるよう配設された走行台車と、該走行台車に取り付けられた支持部材とを備え、
前記スクレーパユニットは、前記支持部材に取り付けられるスペーサと、該スペーサに取り付けられ且つ前記凹凸吸収板を保持するブラケットとを備え、
前記スペーサは、前記支持部材にスペーサを固定する固定締結部材が螺着される固定ネジ孔と、前記スペーサにブラケットを取り付ける取合締結部材が螺着される取合ネジ孔とを備えた請求項１記載の汚泥掻寄装置。
【請求項３】
前記ブラケットは、前記取合締結部材が貫通し且つ上下方向へ延びる取合位置調整長孔を備え、
前記掻寄板は、前記凹凸吸収板に掻寄板を取り付ける掻寄締結部材が貫通し且つ上下方向へ延びる掻寄位置調整長孔を備えた請求項２記載の汚泥掻寄装置。
【発明の詳細な説明】
【技術分野】
【０００１】
本発明は、浄水場の凝集汚泥や下水処理場の汚泥を沈降分離する沈降池で使用される汚泥掻寄装置に関するものである。
【背景技術】
【０００２】
一般に、浄水場で凝集汚泥を沈降分離する沈殿池や下水処理場で汚泥を沈降分離する沈殿池には、該沈殿池の底部に沈積する汚泥を掻き寄せてホッパに集める汚泥掻寄装置が設置される。
【０００３】
従来の汚泥掻寄装置としては、例えば、前記沈殿池の底部に沿って走行台車を走行自在となるよう配設し、該走行台車に支持部材を取り付け、該支持部材の下端部に、前記沈殿池の底部に堆積した汚泥を掻き寄せるゴム製の掻寄板を取り付けたものが公知となっている。尚、前記汚泥掻寄装置と関連する一般的技術水準を示すものとしては、例えば、特許文献１がある。
【０００４】
又、従来の他の形式の汚泥掻寄装置としては、沈殿池の内部にその長手方向へ循環駆動自在となるよう無端状に且つ該沈殿池の長手方向と直角な幅方向へ所要間隔をあけて一対のチェーンを配設し、該一対のチェーン間に掛け渡すように、前記沈殿池の底部の汚泥を掻き寄せる掻寄板を取り付けたものも知られている（例えば、特許文献２参照）。
【先行技術文献】
【特許文献】
【０００５】
【特許文献１】特開２００４−１６０４３０号公報
【特許文献２】特開２０１４−２３７０８２号公報
【発明の概要】
【発明が解決しようとする課題】
【０００６】
ところで、前記沈殿池の底面は、完全に平坦でなく凹凸があるが、従来の汚泥掻寄装置において、前記掻寄板は、幅方向の寸法が約２ｍ以上の長さを有しており、沈殿池の底面に引っ掛かって運転に支障が出ないように、沈殿池の底面で最も高い位置に合わせて掻寄板の取付位置が調整されている。
【０００７】
しかしながら、前述の如く掻寄板の取付位置を沈殿池の底面で最も高い位置に合わせて調整するのでは、沈殿池の底面における凹凸が著しい箇所では、掻き残しが多く発生する可能性があった。因みに、前記掻寄板による掻き残しが多い場合、掻き寄せ時や沈殿池の水流発生時に沈殿物が舞い上がる可能性が高まって、沈殿池の後段に設けられた浄化設備への汚濁負荷が大きくなり、浄水水質に悪影響を及ぼす虞があった。
【０００８】
又、従来の汚泥掻寄装置では、支持部材に幅方向寸法の長い掻寄板を直接取り付ける構造が採用されているため、修繕工事において交換部品である掻寄板を取り換える際、支持部材と新しい掻寄板との間でボルト等の締結部材の孔の位置が製作ミス等の理由からずれることがあった。このため、現地で前記孔の穿孔位置の調整が必要になったり、前記掻寄板を工場に持ち帰って前記孔の穿孔位置の調整を行ったり、或いは工場で新たに孔を穿設した掻寄板を製作したりしなければならなくなり、修繕工事のように比較的短期間に限られている工事の場合、対応が困難となる虞があった。
【０００９】
本発明は、上記従来の問題点に鑑みてなしたもので、運転時の掻き残しを最小限に抑えて浄水水質を向上し得、修繕工事の際の掻寄板の交換作業を円滑に行い得る汚泥掻寄装置を提供しようとするものである。
【課題を解決するための手段】
【００１０】
上記目的を達成するために、本発明の汚泥掻寄装置は、沈殿池の底部に堆積した汚泥を掻き寄せるスクレーパユニットを備えた汚泥掻寄装置であって、
前記スクレーパユニットは、前記沈殿池の幅方向へ並設される複数の掻寄板と、該各掻寄板を夫々前記沈殿池の底部に押し付ける方向へ付勢する複数の凹凸吸収板とを備えることができる。
【００１１】
本発明の汚泥掻寄装置の運転時、前記スクレーパユニットの沈殿池の幅方向へ並設される複数の掻寄板は夫々、凹凸吸収板によって、前記沈殿池の底部に押し付けられる方向へ付勢される。これにより、本発明の汚泥掻寄装置では、従来の如く幅方向の寸法が約２ｍ以上の長さを有している掻寄板の取付位置を沈殿池の底面で最も高い位置に合わせて調整するのとは異なり、沈殿池の底面における凹凸が著しい箇所であっても、掻き残しが発生しにくくなる。このため、掻き寄せ時や沈殿池の水流発生時に沈殿物が舞い上がる可能性が低下して、沈殿池の後段に設けられた浄化設備への汚濁負荷が小さくなり、浄水水質に悪影響を及ぼす心配がなくなる。
【００１２】
前記汚泥掻寄装置においては、前記沈殿池の底部に沿って走行自在となるよう配設された走行台車と、該走行台車に取り付けられた支持部材とを備え、
前記スクレーパユニットは、前記支持部材に取り付けられるスペーサと、該スペーサに取り付けられ且つ前記凹凸吸収板を保持するブラケットとを備え、
前記スペーサは、前記支持部材にスペーサを固定する固定締結部材が螺着される固定ネジ孔と、前記スペーサにブラケットを取り付ける取合締結部材が螺着される取合ネジ孔とを備えることができる。
【００１３】
このように構成すると、走行台車に取り付けられた既設の支持部材側の固定締結部材の位置が、不揃いになっていたり、均等間隔であっても施工先によってその間隔が違っていたりしたとしても、施工先にかかわらず共通の部品として製作することが可能な凹凸吸収板から掻寄板までの連結される部材を予め調達しておき、既設の支持部材側の固定締結部材の位置に合わせて固定ネジ孔を穿設し且つ取合締結部材が螺着される取合ネジ孔を穿設した製作容易で調達時間が早められるスペーサを修繕工事の際に用意することで、従来に比べて施工期間の短縮化が期待できる。
【００１４】
又、前記ブラケットは、前記取合締結部材が貫通し且つ上下方向へ延びる取合位置調整長孔を備え、
前記掻寄板は、前記凹凸吸収板に掻寄板を取り付ける掻寄締結部材が貫通し且つ上下方向へ延びる掻寄位置調整長孔を備えることができる。
【００１５】
このように構成すると、沈殿池の底面の状態に応じて、予め、ブラケットの取合位置調整長孔に対する取合締結部材の締付け位置調整により、スクレーパユニットのおおまかな高さ調整を行うと共に、掻寄板の掻寄位置調整長孔に対する掻寄締結部材の締付け位置調整により、掻寄板の高さの微調整を行うことができ、運転時の掻き残しを抑制する上で更に有効となる。しかも、前記沈殿池の幅方向へ隣接する掻寄板の高さを単に同一とするのではなく個別に調整することも可能となるため、前記沈殿池の幅方向の凹凸にも対応でき、運転時の掻き残しを少なくできる。
【発明の効果】
【００１６】
本発明の汚泥掻寄装置によれば、運転時の掻き残しを最小限に抑えて浄水水質を向上し得、修繕工事の際の掻寄板の交換作業を円滑に行い得るという優れた効果を奏し得る。
【図面の簡単な説明】
【００１７】
【図１】本発明の汚泥掻寄装置の実施例を示す正面図である。
【図２】本発明の汚泥掻寄装置の実施例を示す要部拡大側面図である。
【図３】本発明の汚泥掻寄装置の実施例におけるスクレーパユニットの構成部材を示す図である。
【図４】本発明の汚泥掻寄装置の実施例を示す平面図である。
【発明を実施するための形態】
【００１８】
以下、本発明の実施の形態を添付図面を参照して説明する。
【００１９】
図１〜図４は本発明の汚泥掻寄装置の実施例である。
【００２０】
本実施例では、図１及び図４に示す如く、沈殿池１の底部に沿って走行自在となるよう配設された走行台車２と、該走行台車２に取り付けられた支持部材３とを備え、該支持部材３に、沈殿池１の底部に堆積した汚泥を掻き寄せるスクレーパユニット４が取り付けられている。前記走行台車２は、台車本体２ａに車輪２ｂが設けられた構造を有し、該車輪２ｂは、沈殿池１の底部における幅方向端部に敷設され且つ沈殿池１の長手方向（図１の紙面と直交する方向であって、図４に示す掻寄方向）へ延びるガイドレール５上を転動するようになっている。
【００２１】
前記スクレーパユニット４は、図２及び図３に示す如く、スペーサ６と、ブラケット７と、凹凸吸収板８と、凹凸吸収押え板９と、掻寄板１０と、掻寄押え板１１とを備えている。
【００２２】
前記スペーサ６は、前記支持部材３に取り付けられる部材であり、支持部材３側のボルトからなる固定締結部材１２の位置と合致させて固定ネジ孔６ａが穿設されると共に、前記ブラケット７を取り付けるためのボルトからなる取合締結部材１３が螺着される取合ネジ孔６ｂが穿設されている。
【００２３】
前記ブラケット７は、前記スペーサ６に取り付けられ且つ前記凹凸吸収板８を保持する断面Ｌ字状の部材であり、鉛直方向に配設されるウェブ部７ａに、上下方向へ延び且つ前記取合締結部材１３が貫通する取合位置調整長孔７ｂが穿設されると共に、水平方向に配設されるフランジ部７ｃに、前記凹凸吸収板８を取り付けるためのボルト・ナットからなる凹凸吸収締結部材１４が貫通する締結孔７ｄが穿設されている。尚、前記ブラケット７の幅方向寸法は、図３に示す如く、前記スペーサ６の幅方向寸法の略半分としてある。例えば、前記スペーサ６の幅方向寸法を２ｍとした場合、前記ブラケット７の幅方向寸法はおよそ１ｍとなる。但し、これらの寸法についてはその数値のみに限定されるものではない。
【００２４】
前記凹凸吸収板８は、前記ブラケット７のフランジ部７ｃに取り付けられ且つ前記掻寄板１０を保持する板バネで構成され、その略水平方向へ延びる可撓張出部８ａの基端部における前記締結孔７ｄと対応する位置に、前記凹凸吸収締結部材１４が貫通する締結孔８ｂが穿設され、前記可撓張出部８ａの先端から垂下する垂下部８ｃに、ボルト・ナットからなる掻寄締結部材１５が貫通する締結孔８ｄが穿設されている。尚、前記凹凸吸収板８の幅方向寸法は、図３に示す如く、前記ブラケット７の幅方向寸法の略半分で、前記スペーサ６の幅方向寸法の略１／４としてある。例えば、前記スペーサ６の幅方向寸法を２ｍとした場合、前記凹凸吸収板８の幅方向寸法はおよそ０．５ｍとなる。又、図３において、前記凹凸吸収板８と凸凹吸収押え板９は、その配設状態で上方から視認した平面図として示されており、他の部材は、その配設状態で正面から視認した正面図として示されている。
【００２５】
前記凹凸吸収押え板９は、前記ブラケット７のフランジ部７ｃとの間で前記凹凸吸収板８を挟持するように配設される部材であり、前記締結孔７ｄ及び締結孔８ｂと対応する位置に前記凹凸吸収締結部材１４が貫通する締結孔９ａが穿設されている。尚、前記凹凸吸収押え板９の幅方向寸法は、図３に示す如く、前記凹凸吸収板８の幅方向寸法と略同一としてある。
【００２６】
前記掻寄板１０は、前記沈殿池１の底部に堆積した汚泥を掻き寄せるよう前記沈殿池１の幅方向へ複数並設されるゴム板で構成され、前記凹凸吸収板８の締結孔８ｄと対応する位置に、前記凹凸吸収板８に掻寄板１０を取り付ける掻寄締結部材１５が貫通し且つ上下方向へ延びる掻寄位置調整長孔１０ａが穿設されている。尚、前記掻寄板１０の幅方向寸法は、図３に示す如く、前記凹凸吸収板８の幅方向寸法と略同一としてある。
【００２７】
前記掻寄押え板１１は、図２に示す如く、前記掻寄板１０を挟持するように前記凹凸吸収板８の垂下部８ｃに取り付けるための部材であり、前記凹凸吸収板８の締結孔８ｄ及び掻寄位置調整長孔１０ａと対応する位置に、前記掻寄締結部材１５が貫通する締結孔１１ａが穿設されている。尚、前記掻寄押え板１１の幅方向寸法は、図３に示す如く、前記凹凸吸収板８及び掻寄板１０の幅方向寸法と略同一としてある。
【００２８】
次に、上記実施例の作用を説明する。
【００２９】
沈殿池１の底面の状態を考慮し、予め、ブラケット７の取合位置調整長孔７ｂに対する取合締結部材１３の締付け位置調整により、スクレーパユニット４のおおまかな高さ調整を行うと共に、掻寄板１０の掻寄位置調整長孔１０ａに対する掻寄締結部材１５の締付け位置調整により、掻寄板１０の高さの微調整を行っておく。
【００３０】
この状態で、走行台車２の台車本体２ａに設けられた車輪２ｂをガイドレール５上で転動させつつ、走行台車２を沈殿池１の底部に沿って走行させると、該走行台車２の支持部材３に取り付けられたスクレーパユニット４により、沈殿池１の底部に堆積した汚泥が掻き寄せられる。
【００３１】
このとき、前記スクレーパユニット４の沈殿池１の幅方向へ並設される複数の掻寄板１０は夫々、凹凸吸収板８によって、前記沈殿池１の底部に押し付けられる方向へ付勢される。
【００３２】
これにより、本実施例では、従来の如く幅方向の寸法が約２ｍ以上の長さを有している掻寄板１０の取付位置を沈殿池１の底面で最も高い位置に合わせて調整するのとは異なり、沈殿池１の底面における凹凸が著しい箇所であっても、掻き残しが発生しにくくなる。このため、掻き寄せ時や沈殿池１の水流発生時に沈殿物が舞い上がる可能性が低下して、沈殿池１の後段に設けられた浄化設備への汚濁負荷が小さくなり、浄水水質に悪影響を及ぼす心配がなくなる。
【００３３】
又、既設の支持部材３側のボルトからなる固定締結部材１２の位置は、必ずしも均等間隔でなく不揃いになっている場合や、均等間隔であっても施工先によってその間隔が違っている場合が多いが、従来の汚泥掻寄装置のように、支持部材３に幅方向寸法の長い掻寄板１０を直接取り付ける構造ではなく、本実施例ではスペーサ６が介装されている。ここで、前記スペーサ６は、既設の支持部材３側のボルトからなる固定締結部材１２の位置と合致させて固定ネジ孔６ａを穿設すると共に、前記ブラケット７を取り付けるためのボルトからなる取合締結部材１３が螺着される取合ネジ孔６ｂを穿設するというきわめて簡単な加工だけで済む部材であり、製作が容易で施工の際にも比較的短期間ですぐに調達することができる。しかも、凹凸吸収板８から掻寄板１０や掻寄押え板１１までの連結される部材は全て施工先にかかわらず共通の部品として製作でき、予め調達しておくことが可能となる。このため、修繕工事において交換部品である掻寄板１０を取り換える際、既設の支持部材３と、新しい掻寄板１０を含むスクレーパユニット４との間でボルト等の締結部材の孔の位置ずれが生じていたとしてもスペーサ６だけを再度調達すれば良い。これにより、現地で前記孔の穿孔位置の調整が必要になったり、前記掻寄板１０を工場に持ち帰って前記孔の穿孔位置の調整を行ったり、或いは工場で新たに孔を穿設した掻寄板１０を製作したりしなくて済み、修繕工事のように比較的短期間に限られている工事であっても、対応が容易となる。
【００３４】
更に又、従来と比較して幅方向寸法の短い複数の凹凸吸収板８をブラケット７に取り付けることは、個別の凹凸吸収板８から掻寄板１０までの連結される部材が作業者にとって持ち運び容易となるため、施工も行いやすくなる。
【００３５】
こうして、運転時の掻き残しを最小限に抑えて浄水水質を向上し得、修繕工事の際の掻寄板１０の交換作業を円滑に行い得る。
【００３６】
そして、本実施例では、前記沈殿池１の底部に沿って走行自在となるよう配設された走行台車２と、該走行台車２に取り付けられた支持部材３とを備え、前記スクレーパユニット４は、前記支持部材３に取り付けられるスペーサ６と、該スペーサ６に取り付けられ且つ前記凹凸吸収板８を保持するブラケット７とを備え、前記スペーサ６は、前記支持部材３にスペーサ６を固定する固定締結部材１２が螺着される固定ネジ孔６ａと、前記スペーサ６にブラケット７を取り付ける取合締結部材１３が螺着される取合ネジ孔６ｂとを備えている。このように構成すると、走行台車２に取り付けられた既設の支持部材３側の固定締結部材１２の位置が、不揃いになっていたり、均等間隔であっても施工先によってその間隔が違っていたりしたとしても、施工先にかかわらず共通の部品として製作することが可能な凹凸吸収板８から掻寄板１０までの連結される部材を予め調達しておき、既設の支持部材３側の固定締結部材１２の位置に合わせて固定ネジ孔６ａを穿設し且つ取合締結部材１３が螺着される取合ネジ孔６ｂを穿設した製作容易で調達時間が早められるスペーサ６を修繕工事の際に用意することで、従来に比べて施工期間の短縮化が期待できる。
【００３７】
又、前記ブラケット７は、前記取合締結部材１３が貫通し且つ上下方向へ延びる取合位置調整長孔７ｂを備え、前記掻寄板１０は、前記凹凸吸収板８に掻寄板１０を取り付ける掻寄締結部材１５が貫通し且つ上下方向へ延びる掻寄位置調整長孔１０ａを備えている。このように構成すると、沈殿池１の底面の状態に応じて、予め、ブラケット７の取合位置調整長孔７ｂに対する取合締結部材１３の締付け位置調整により、スクレーパユニット４のおおまかな高さ調整を行うと共に、掻寄板１０の掻寄位置調整長孔１０ａに対する掻寄締結部材１５の締付け位置調整により、掻寄板１０の高さの微調整を行うことができ、運転時の掻き残しを抑制する上で更に有効となる。しかも、前記沈殿池１の幅方向へ隣接する掻寄板１０の高さを単に同一とするのではなく個別に調整することも可能となるため、前記沈殿池１の幅方向の凹凸にも対応でき、運転時の掻き残しを少なくできる。
【００３８】
尚、本発明の汚泥掻寄装置は、上述の実施例にのみ限定されるものではなく、チェーン駆動する形式の汚泥掻寄装置の掻寄板へも適用可能なこと等、その他、本発明の要旨を逸脱しない範囲内において種々変更を加え得ることは勿論である。
【符号の説明】
【００３９】
１        沈殿池
２        走行台車
３        支持部材
４        スクレーパユニット
６        スペーサ
６ａ      固定ネジ孔
６ｂ      取合ネジ孔
７        ブラケット
７ｂ      取合位置調整長孔
７ｄ      締結孔
８        凹凸吸収板
１０        掻寄板
１０ａ      掻寄位置調整長孔
１２        固定締結部材
１３        取合締結部材
１５        掻寄締結部材
【図１】
2018134581.tif 000003
【図２】
2018134581.tif 000004
【図３】
2018134581.tif 000005
【図４】
2018134581.tif 000006